(57)【要約】【課題】既設のエレベーターに対しても簡単に取り付けることができ、また簡単に取り外すことができるエレベーターのドアハンガーローラの清掃装置の提供。【解決手段】１対のドアパネル１と、ドアレール２と、ドアパネル１に連結されるドアハンガー４と、これらのドアハンガー４に設けられたドアレール２上を転動するドアハンガーローラ３とを有するエレベーターのドア装置に設けられ、ドアハンガーローラ３の転動に伴い、ドアハンガーローラ３の走行面を清掃するブラシ１１を保持する保持具６を備えている。この保持具６は、一端側にドアハンガーローラ３を回転自在に支持するローラ軸５に係止される係止部、すなわち切り欠き６ａを有し、他端側にドアレール２上を転動可能な補助ローラ７を有する構成にしてある。【選択図】図１
2011213480.tif 000002
【特許請求の範囲】
【請求項１】
ドアパネルと、このドアパネルの上方に配設したドアレールと、前記ドアパネルの上端に連結されるドアハンガーと、このドアハンガーに設けられ、前記ドアレールの長手方向に沿ってそのドアレール上を転動するドアハンガーローラとを有するエレベーターのドア装置に設けられ、前記ドアハンガーローラの走行面に当接して、前記ドアハンガーローラの転動に伴い、前記ドアハンガーローラの走行面を清掃するブラシを備えたエレベーターのドアハンガーローラの清掃装置において、
前記ブラシを保持する保持具を備え、この保持具は、一端側に前記ドアハンガーローラを回転自在に支持するローラ軸に係止される係止部を有し、他端側に前記ドアレール上を転動可能な補助ローラを有することを特徴とするエレベーターのドアハンガーローラの清掃装置。
【請求項２】
請求項１に記載のエレベーターのドアハンガーローラの清掃装置において、
前記保持具の前記係止部は、下側に開口を有する切り欠きから成ることを特徴とするエレベーターのドアハンガーローラの清掃装置。
【請求項３】
請求項１または２に記載のエレベーターのドアハンガーローラの清掃装置において、
前記保持具に取り付けられ、前記ドアハンガーに係合する係合部を備えたことを特徴とするエレベーターのドアハンガーローラの清掃装置。
【発明の詳細な説明】
【技術分野】
【０００１】
本発明は、エレベーターのドア装置に含まれるドアハンガーローラ、すなわちドアパネルを吊り下げるドアハンガーに装着されるとともに、ドアレール上を転動するエレベーターのドアハンガーローラの清掃装置に関する。
【背景技術】
【０００２】
従来、エレベーターのドア装置として、例えば図３に示すように、１対設けられて左右にそれぞれ開閉可能なドアパネル１と、これらのドアパネル１の上方に配設され、各ドアパネル１の開閉動作を案内するドアレール２と、このドアレール２の上端面と接触回転する４つのドアハンガーローラ３と、これらのドアハンガーローラ３が装着されるとともに、各ドアパネル１の上端に連結されて、これらのドアパネル１を吊り下げる２つのドアハンガー４とを備えたものがある。
【０００３】
このようなドア装置を有するエレベーターにあっては、昇降路内に浮遊する塵埃等がドアレール２の上端面に堆積しやすい。すなわち、ドアレール２の上端面を各ドアパネル１の荷重を支持しながら転動する４つのドアハンガーローラ３それぞれのドアレール２との接触面に塵埃等が付着し、この付着した塵埃等が各ドアパネル１の閉端部もしくは開端部においてドアレール２上に落下し、その結果、ドアレール２の閉端部もしくは開端部に塵埃等が多量に集積しやすい。そして、一定量以上の塵埃等が集積すると、ドアハンガーローラ３の走行の妨げとなり、該当するドアパネル１が開ききらない、もしくは閉じきらない状態、すなわちドア装置の故障となる虞がある。したがって、このようなドア装置の故障を防止するために、エレベーターの保守員によって定期的にドアレール２の上端面の清掃が実施されていた。このような保守員の定期的な清掃作業の手間をなくすこと、また、不十分な清掃作業によるドア開閉故障をなくすことを考えた場合、人手によらずにドアパネル１の開閉動作に伴って自動的にハンガーローラ３を清掃することができる清掃装置の実現が期待される。
【０００４】
ところで、本発明が対象としているようなドアハンガーローラを有するエレベーターとは異なるが、自動的な清掃を実施できる清掃装置として、従来、特許文献１に示されるものがある。この従来技術は、斜行エレベーターにあって、かごの走行を案内するガイドレール上を接触回転するローラガイドに対して、このローラガイドに付着した塵埃等を除くローラガイド用ブラシを設けたものである。この従来技術は、ローラガイド用ブラシを、ローラガイドの回転軸を支持している台車のフレームに、ピンを介して回転自在に支持させた構成にしてある。
【先行技術文献】
【特許文献】
【０００５】
【特許文献１】特開平６−１０７３９２号公報
【発明の概要】
【発明が解決しようとする課題】
【０００６】
上述した特許文献１に示される従来技術にあっては、ローラガイド用ブラシを台車のフレームに保持させるために、フレームにピンを固定することが必要となる。この場合、フレームに対して穴あけ加工をし、形成された穴にピンを挿入した後、ビス止めやリベット等によってフレームにピンを固定することが考えられる。このようにしてローラガイド用ブラシを台車のフレームに保持させる考え方は、新設の斜行エレベーターにおいては容易と考えられるものの、既設の斜行エレベーターに採用しようとする場合には、容易ではない。すなわち、台車そのものの交換が必要になったり、現地におけるピンの取り付けのための改造作業が必要となり、このローラガイド用ブラシの取り付け作業が煩雑になってしまう問題がある。
【０００７】
ここで、特許文献１に開示される斜行エレベーターのローラガイドの清掃装置における考え方を、昇降路内を鉛直方向に昇降する乗かごを有するエレベーターに備えられるドアハンガーローラの清掃装置に適用させようとした場合には、上述と同様の問題を生じることになる。特に、鉛直方向に昇降する乗かごを有するエレベーターのドアハンガーローラは、乗かごドアと、各階床の乗場ドアのそれぞれに関連して比較的多くの個数設けられるものであることから、特許文献１に示されるように、既設のエレベーターにピンを介してドアハンガーローラを清掃するブラシを取り付けようとすると、そのブラシ取り付け作業は極めて煩雑になる。また、多くの作業工数が必要になる。したがって、ブラシ取り付け作業における能率の向上を見込み難い。
【０００８】
本発明は、前述した従来技術における実状からなされたもので、その目的は、既設のエレベーターに対しても簡単に取り付けることができ、また簡単に取り外すことができるエレベーターのドアハンガーローラの清掃装置を提供することにある。
【課題を解決するための手段】
【０００９】
前記目的を達成するために、本発明は、ドアパネルと、このドアパネルの上方に配設したドアレールと、前記ドアパネルの上端に連結されるドアハンガーと、このドアハンガーに設けられ、前記ドアレールの長手方向に沿ってそのドアレール上を転動するドアハンガーローラとを有するエレベーターのドア装置に設けられ、前記ドアハンガーローラの走行面に当接して、前記ドアハンガーローラの転動に伴い、前記ドアハンガーローラの走行面を清掃するブラシを備えたエレベーターのドアハンガーローラの清掃装置において、前記ブラシを保持する保持具を備え、この保持具は、一端側に前記ドアハンガーローラを回転自在に支持するローラ軸に係止される係止部を有し、他端側に前記ドアレール上を転動可能な補助ローラを有することを特徴としている。
【００１０】
このように構成した本発明は、ドアハンガーローラの清掃に際しては、保持具の一端側の係止部を、ドアハンガーローラを回転自在に支持するローラ軸に係止させた状態で、保持具の他端側の補助ローラをドアレール上に載置すればよい。この状態において、ドアパネルが開閉動作すると、ドアハンガーローラ及び補助ローラがドアレール上を接触転動するとともに、保持具に保持されたブラシによって転動するドアハンガーローラの走行面が清掃され、ドアハンガーローラの走行面に付着した塵埃等は除去される。このように本発明は、ドアパネルの開閉動作に伴って自動的にドアハンガーローラの清掃を行うことができる。また、上述のようにブラシを保持する保持部の係止部を、ドアハンガーローラを支持するローラ軸によって係止させ、保持具の補助ローラをドアレール上に載置するように取り付けるだけであるので、既設のエレベーターに対しても簡単に取り付けることができる。また逆に、保持具の係止部をローラ軸から離脱させることにより簡単に取り外すことができる。したがって、現地における穴あけ加工や溶接作業等、あるいは大掛かりな部品交換が不要になり、ブラシ取り付け作業における作業工数を少なく抑えることができる。
【００１１】
なお本発明は、常時ブラシを保持する保持具の係止部をドアハンガーローラのローラ軸に係止させておくこと、すなわち常設が可能であるが、これとは逆に定期的なエレベーターの点検作業時等において、ブラシを保持する保持具の係止部をローラ軸に係止させ、ブラシによってドアハンガーローラの走行面の清掃を行い、清掃終了後にブラシを保持する保持具を取り外すようにすることもできる。
【００１２】
また、本発明は、前記発明において、前記保持具の前記係止部が、下側に開口を有する切り欠きから成るようにしても良い。このように構成した本発明は、保持具の切り欠きをドアハンガーローラのローラ軸に対向させた状態で上方から下方に向かって動かすことにより、ブラシを保持する保持具を簡単に取り付けることができる。逆に、ローラ軸に係止されている保持具の切り欠きを上方に向かって動かすことにより、ブラシを保持する保持具を簡単に取り外すことができる。
【００１３】
また、本発明は、前記発明において、前記保持具に取り付けられ、前記ドアハンガーに係合する係合部を備えるようにしても良い。このように構成した本発明は、保持具の係合部をドアハンガーローラに係合させることにより、ドアパネルの開閉動作に伴う保持具の揺れを防ぎ安定してローラ軸に取り付けることができる。
【発明の効果】
【００１４】
本発明は、ドアハンガーローラの転動に伴い、ドアハンガーローラの走行面を清掃するブラシを保持する保持具を備え、この保持具は、一端側にドアハンガーローラを回転自在に支持するローラ軸に係止される係止部を有し、他端側にドアレール上を転動可能な補助ローラを有することから、ドアパネルの開閉動作に伴って自動的にドアハンガーローラの清掃を行うことができるとともに、既設のエレベーターに対しても簡単に取り付けることができ、また、簡単に取り外すことができる。したがって、既設のエレベーターに取り付ける場合に、従来技術において考えられるような現地における穴あけ加工や溶接作業等、あるいは大掛かりな部品交換が不要になり、ブラシ取り付け作業における作業工数を少なく抑えることができる。これにより、ブラシ取り付け作業の能率を従来に比べて向上させることができる。
【００１５】
また本発明は、定期的なエレベーターの点検作業時にブラシを保持する保持具をローラ軸に取り付けて、ドアハンガーローラの走行面の清掃を行い、清掃終了後にブラシを保持する保持具をローラ軸から取り外すようにすることができる。このようにすれば、エレベーターを正常運転に復帰させた際に、ドアパネルの開閉動作に伴って保持具のブラシがドアハンガーローラの走行面を擦る際の摺動音の発生を防ぐことができる。したがって、このような摺動音に起因する当該エレベーターの利用者の不快感を生じさせないようにすることができる。
【図面の簡単な説明】
【００１６】
【図１】本発明に係るエレベーターのドアハンガーローラの清掃装置の一実施形態における全体構成を示す正面図である。
【図２】図１のＡ方向から見た図である。
【図３】従来のエレベーターのドア装置の概略構成を示す正面図である。
【発明を実施するための形態】
【００１７】
以下、本発明に係るエレベーターのドアハンガーローラの清掃装置の実施の形態を図に基づいて説明する。
【００１８】
図１は本発明に係るエレベーターのドアハンガーローラの清掃装置の一実施形態における全体構成を示す正面図、図２は図１のＡ方向から見た図である。なお、本実施形態に係るドアハンガーローラの清掃装置が備えられるエレベーターのドア装置は、例えば図３に示したのと同等の１対のドアパネルが左右に開閉動作するドア装置である。したがって、以下にあっては必要に応じて図３に示した符号を用いて説明を行う。
【００１９】
前述したが、本実施形態が備えられるエレベーターのドア装置は、図３に示したように各ドアパネル１をそれぞれ吊り下げる１対のドアハンガー４を備え、図２に示すようにこれらのドアハンガー４に４つのローラ軸５が固定され、これらのローラ軸５の該当するものにドアハンガーローラ３のそれぞれが回転自在に支持されている。各ドアハンガーローラ３の走行面３ａはドアレール２に接触するように配置されており、ドアハンガーローラ３のそれぞれはドアレール２の長手方向に沿って転動するように設けられている。ドア装置に備えられるドアハンガーローラ３は、図３に示すものでは４つ設けられているが、このようなドア装置に備えられる本実施形態は、例えば１つだけ設けてある。すなわち本実施形態は、ドアハンガーローラ３の走行面３ａに当接するブラシ１１を保持する保持具６を１つだけ備えている。図２に示すようにブラシ１１の基部１０は、ドアハンガーローラ３に対向する側である作業具６の一方の側面６ｂに固定させてある。保持具６は、ドアハンガー４とドアハンガーローラ３との間に形成される隙間寸法よりも薄い寸法の板体から成り、一端側にドアハンガーローラ３を回転自在に支持するローラ軸６ａに係止される係止部、例えば図１に示すように、下側に開口を有する切り欠き６ａを有し、他端側にドアレール２上を転動可能な補助ローラ７を有している。
【００２０】
上述した切り欠き６ａは、ローラ軸５の径寸法よりも大きい開口径を有している。上述した補助ローラ７の走行面７ａは、ドアレール２に接触可能な幅寸法に設定してある。また、この補助ローラ７は、保持具６の側面６ｂに固定した補助ローラ軸８に回転自在に支持させてある。
【００２１】
図２に示すように、保持具６の他方の側面６ｃには、ドアハンガー４に係合する上面視がＬ字形の係合部９を設けてある。すなわち、保持具６の側面６ｃと係合部９とによってドアハンガー４を挟み込む構成にしてある。
【００２２】
このように構成した本実施形態は、例えば定期的なエレベーターの点検作業に際して、図３に示す４つのドアハンガーローラ３のうちの１つに、図１，２に示すように、ブラシ１１を保持する保持具６を取り付ける。この状態において、図示しないドアモータの動力をベルトまたはロープを介してドアハンガー４に伝えると、ドアハンガー４に取り付けられたドアハンガーローラ３がドアレール２上を転動し、ドアハンガー４に連結された各ドアパネル１が左右に開閉する。
【００２３】
このような各ドアパネル１の開閉動作の間、すなわちドアハンガー４の移動に伴ってドアハンガーローラ３がドアレール２上を転動する間、ローラ軸５に係止され、補助ローラ７によってガイドされる保持具６は、ブラシ１１をドアハンガーローラ３の走行面３ａに当接した状態を保ちながら、ドアハンガー４と共にドアレール２上を左右に転動する。
【００２４】
ドアハンガーローラ３に当接した保持具６のブラシ１１は、ハンガーローラ３の走行面３ａに対して屈曲した状態に保たれており、この状態でドアハンガーローラ３の走行面３ａをブラシ１１が擦ることで、ドアハンガーローラ３の走行面３ａに付着した塵埃等を除去することができる。すなわち、ドアパネル１の開閉動作に伴って自動的にドアハンガーローラ３の清掃を行うことができる。
【００２５】
清掃終了後は、保持具６をドアハンガーローラ３のローラ軸５から上方に向かって持ち上げるようにして、保持具６を外すことができる。このようにして４つのドアハンガーローラ３のうちの１つのドアハンガーローラ３の清掃が実施されるが、前述と同様にして残りの３つのドアハンガーローラ３の清掃も実施される。
【００２６】
このように構成した本実施形態によれば、前述したようにブラシ１１を保持する保持具６の切り欠き６ａを、ドアハンガーローラ３を回転自在に支持するローラ軸５に係止させ、保持具６の補助ローラ７をドアレール２上に載置するように取り付けるだけであるので、既設のエレベーターに対しても簡単に取り付けることができる。また逆に、保持具６の切り欠き６ａをローラ軸５から離脱させることにより簡単に取り外すことができる。したがって、現地における穴あけ加工や溶接作業等、あるいは大掛かりな部品交換が不要になり、ブラシ１１の取り付け作業における作業工数を少なく抑えることができる。これにより、ブラシ１１の取り付け作業の能率を向上させることができる。
【００２７】
また、ブラシ１１を保持する１つの保持具６を各ローラ軸５に着脱させることによって、４つのドアハンガーローラ３の清掃を行うことができ、ドアハンガーローラ３の清掃に際して運搬する保持具６を最小数とすることができる。これにより、保持具６を運搬する保守員の負担を軽減させることができる。
【００２８】
また、４つのドアハンガーローラ３の清掃終了後に、ブラシ１１を保持する保持具６を取り外すようにすれば、エレベーターを正常運転に復帰させた際に、ドアパネル１の開閉動作に伴って保持具６のブラシ１１がドアハンガーローラ３の走行面３ａを擦る際の摺動音の発生を防ぐことができる。したがって、このような摺動音に起因する当該エレベーターの利用者の不快感を生じさせないようにすることができる。
【００２９】
また、保持具６に、下側に開口を有し、ドアハンガーローラ３のローラ軸５に係止される切り欠き６ａを設けたことから、保持具６の切り欠き６をドアハンガーローラ３のローラ軸５に対向させた状態で上方から下方に向かって動かすことにより、ブラシ１１を保持する保持具６を簡単に取り付けることができる。逆に、ローラ軸５に係止されている保持具６の切り欠き６ａを上方に向かって動かすことにより、ブラシ１１を保持する保持具６を簡単に取り外すことができる。すなわち、保持具６に設けられ、下側に開口を有する切り欠き６ａは、保持具６をローラ軸５に対して簡単に着脱させることに貢献する。
【００３０】
また、保持具６の係合部９をドアハンガー４に係合させることにより、保持具６の側面６ｃと係合部９とによってドアハンガー４を挟み込み、各ドアパネル１の開閉動作に伴う保持具６の揺れを生じさせることなく、本実施形態に係る清掃装置を安定してローラ軸５に取り付けることができる。これにより、信頼性の高いドアハンガーローラ３の清掃装置を実現させることができる。
【００３１】
なお、上述した実施形態にあっては、１つの保持具６を着脱して４つのドアハンガーローラ３の清掃を順次行うようにしたが、ドアハンガーローラ３ごとに保持具６を取り付けた構成にしてもよい。すなわち、各ドアハンガーローラ３に対して前述した保持具６をそれぞれ個別に常設するようにしてもよい。このように構成した場合には、ドアハンガーローラ３の清掃の度に保持具６を運搬する必要がなく、また、ドアハンガーローラ３の清掃に際して保持具６の着脱作業を繰り返す必要がない。これにより、ドアハンガーローラ３の清掃に関係する保守員の負担を軽減させることができる。
【符号の説明】
【００３２】
１    ドアパネル
２    ドアレール
３    ドアハンガーローラ
３ａ  走行面
４    ドアハンガー
５    ローラ軸
６    保持具
６ａ  切り欠き（係止部）
６ｂ  側面
６ｃ  側面
７    補助ローラ
７ａ  走行面
８    補助ローラ軸
９    係合部
１０    基部
１１    ブラシ
【図１】
2011213480.tif 000003
【図２】
2011213480.tif 000004
【図３】
2011213480.tif 000005